(57)【要約】【課題】下部搬送ローラの下方に大きなスペースを設ける必要をなくして小型化を図り、設計の自由度も大きくし、かかるコストを削減する。【解決手段】上部搬送ローラ１との間に媒体１１を挟持して搬送する下部搬送ローラ４を取り付けた下部シャフト５の基準面３ａ側の端部を押下げるカム８と、下部シャフト５の幅寄せ部材１０側の端部を押える押え部材６ｂと、下部シャフト５を上方に付勢するコイルスプリング７を備え、カム８の回転により下部搬送ローラ４を上部搬送ローラ１から離間させたり当接させたりする構成とした。【選択図】図１
2012176829.tif 000002
【特許請求の範囲】
【請求項１】
媒体を挟持して搬送する複数対の上部搬送ローラ及び下部搬送ローラと、媒体の位置基準となる基準面と、幅寄せ部材を備え、前記各下部搬送ローラを前記各上部搬送ローラから離間させた状態で、前記媒体を前記幅寄せ部材により前記基準面に押し付けて幅寄せを行う媒体幅寄せ機構において、
前記各下部搬送ローラを取り付けた下部シャフトの少なくとも一端側を上下動可能として、この一端にカムを配置すると共に、前記下部シャフトを上方に付勢して前記各下部搬送ローラを前記各上部搬送ローラに押し付ける付勢手段を設け、
前記媒体の幅寄せ時に前記カムにより前記下部シャフトの端部の一方を押下げて前記各下部搬送ローラを前記各上部搬送ローラから離間させる
ことを特徴とする媒体幅寄せ機構。
【請求項２】
請求項１に記載の媒体幅寄せ機構において、
前記カムを前記基準面側に配置し、前記幅寄せ部材側に前記下部シャフトの端部を押える押え部材を設けて、
前記カムにより前記下部シャフトの前記基準面側の端部を押下げたとき、前記下部シャフトの前記幅寄せ部材側の端部を前記押え部により押えることで、前記下部シャフトを傾けて前記各下部搬送ローラを前記各上部搬送ローラから離間させることを特徴とする媒体幅寄せ機構。
【請求項３】
請求項１に記載の媒体幅寄せ機構において、
前記カムを前記幅寄せ部材側に配置し、前記基準面側に前記下部シャフトの端部を押える押え部材を設けて、
前記カムにより前記下部シャフトの前記幅寄せ部材側の端部を押下げたとき、前記下部シャフトの前記基準面側の端部を前記押え部により押えることで、前記下部シャフトを傾けて前記各下部搬送ローラを前記各上部搬送ローラから離間させ、かつ前記カムによる押下げ力を解除することで、前記各下部搬送ローラを前記各上部搬送ローラに押し付ける際に、前記各下部搬送ローラが前記媒体を下面側から基準面側に押すようにしたことを特徴とする媒体幅寄せ機構。
【請求項４】
媒体を挟持して搬送する複数対の上部搬送ローラ及び下部搬送ローラと、媒体の位置基準となる基準面と、幅寄せ部材を備え、前記各下部搬送ローラを前記各上部搬送ローラから離間させた状態で、前記媒体を前記幅寄せ部材により前記基準面に押し付けて幅寄せを行う媒体幅寄せ機構において、
前記下部シャフトを軸方向の中央部で２分割して、その分割した側の互いの端部を互いに重ねられる形状に形成して上下の関係になるように重ねると共に、２つの下部シャフトの前記基準面側と幅寄せ部材側のそれぞれの端部を上下動可能にかつ回転不可に保持し、分割した下部シャフトにそれぞれ下部搬送ローラを回転自在に取り付け、
一方の下部シャフトの前記基準面側または幅寄せ部材側の端部にカムを配置すると共に、前記各下部シャフトを上方に付勢して前記各下部搬送ローラを前記各上部搬送ローラに押し付ける付勢手段を設け、
前記媒体の幅寄せ時に前記カムにより前記一方の下部シャフトの端部を押下げたとき、分割側の端部がもう一方の下部シャフトの分割側の端部を押し上げることで、前記各下部シャフトを傾けて前記各下部搬送ローラを前記各上部搬送ローラから離間させることを特徴とする媒体幅寄せ機構。
【請求項５】
請求項４に記載の媒体幅寄せ機構において、
前記カムにより前記一方の下部シャフトの端部を押下げたとき、該端部付近が突き当たるストッパと、前記もう一方の下部シャフトの分割側の端部付近の上方への移動を押さえる押さえ部を設け、
前記一方の下部シャフトの端部を押下げられたとき前記ストッパを支点として前記一方の下部シャフトが傾き、同時に分割側の端部が前記もう一方の下部シャフトの分割側の端部を押し上げたとき、該端部を押さえ部が押さえることで、基準面側の前記幅寄せ部材側または基準面側の端部が下方に移動して、前記もう一方の下部シャフトが傾くようにしたことを特徴とする媒体幅寄せ機構。
【発明の詳細な説明】
【技術分野】
【０００１】
本発明は、現金自動取引装置や窓口端末に設けられ、通帳や帳票などの媒体の処理を行う媒体処理装置等に備えられる媒体幅寄せ機構に関するものである。
【背景技術】
【０００２】
媒体処理装置に備えられる従来の媒体幅寄せ機構として、例えば、特許文献１に示されるものがある。図１1はこの特許文献1に示されている従来の媒体幅寄せ機構の正面図、図１２はその要部拡大図である。
【０００３】
この媒体幅寄せ機構では、媒体１１を基準面２１に幅寄せする場合、図１１に示したように下部搬送ローラ２２をクランプ解除手段２３により上側搬送ローラ２４から一旦離し、駆動源２５によりプーリ２６及びベルト２７により幅寄せ部材２８を動作させて、媒体１１を基準面２１に幅寄せするものとなっている。
【０００４】
クランプ解除手段２３は、図１２に示したようにソレノイド２９の可動部３０をリンク３１により下部搬送ローラ２２の下部シャフト３２に連結し、ソレノイド２９の可動部３０の吸引と開放によりリンク３１を介して下部シャフト３２とともに下部搬送ローラ２２を引き下げ、図示しないコイルスプリングにより下部シャフト３２とともに下部搬送ローラ２２を引き上げるように構成されている。
【先行技術文献】
【特許文献】
【０００５】
【特許文献１】特開平１１−１１７４６号公報
【発明の概要】
【発明が解決しようとする課題】
【０００６】
しかしながら、上述した特許文献1の技術では、下側搬送ローラを上部搬送ローラから離間させるためのクランプ解除手段はソレノイドやリンクを使って下側搬送ローラを引き下げる構成としているため、クランプ解除手段を下側搬送ローラの下方に配置する必要があり、それにより下側搬送ローラの下方にクランプ解除手段用の大きなスペースが必要となって大型化してしまうという問題がある。
【０００７】
また、ソレノイドやリンクによるクランプ解除手段を下部搬送ローラの下方でなく、フレームの側方に配置しようとすると、新たな連結部品が必要になり、部品点数が増えるためにコストが高くなるという問題が生じてくる
本発明は、このような問題を解決することを課題とする。
【課題を解決するための手段】
【０００８】
そのため、本発明は、媒体を挟持して搬送する複数対の上部搬送ローラ及び下部搬送ローラと、媒体の位置基準となる基準面と、幅寄せ部材を備え、前記各下部搬送ローラを前記各上部搬送ローラから離間させた状態で、前記媒体を前記幅寄せ部材により前記基準面に押し付けて幅寄せを行う媒体幅寄せ機構において、前記各下部搬送ローラを取り付けた下部シャフトの少なくとも一端側を上下動可能として、この一端にカムを配置すると共に、前記下部シャフトを上方に付勢して前記各下部搬送ローラを前記各上部搬送ローラに押し付ける付勢手段を設け、前記媒体の幅寄せ時に前記カムにより前記下部シャフトの端部の一方を押下げて前記各下部搬送ローラを前記各上部搬送ローラから離間させることを特徴とする。
【発明の効果】
【０００９】
このようにした本発明は、上部搬送ローラとの間に媒体を挟持して搬送する下部搬送ローラを取り付けた下部シャフトの基準面側の端部を押下げるカムと、下部シャフトの幅寄せ部材側の端部を押える押え部材と、下部シャフトを上方に付勢する付勢手段を備えた構成として、カムの回転により下部搬送ローラを上部搬送ローラから離間させたり当接させたりするようにしているため、下部搬送ローラの下方に大きなスペースを設ける必要がなくなり小型化を図れるという効果が得られる。
【００１０】
また、カムは上部フレームの側方に配置でき、スペースもとらないことから配置の自由度が高く、そのため設計の自由度も大きくなるという効果も得られ、更に部品点数が増えることもないので、コストを削減できるという効果も得られる。
【図面の簡単な説明】
【００１１】
【図１】下部搬送ローラが通常の状態のときの実施例１を示す図
【図２】下部搬送ローラを押下げた状態のときの実施例１を示す図
【図３】実施例１の作用を示す図
【図４】実施例１の作用を示す図
【図５】実施例１の作用を示す図
【図６】下部搬送ローラが通常の状態のときの実施例２を示す図
【図７】実施例２の作用を示す図
【図８】実施例２の作用を示す図
【図９】下部搬送ローラが通常の状態のときの実施例３を示す図
【図１０】下部搬送ローラが下降した状態のときの実施例３を示す図
【図１１】従来の媒体幅寄せ機構の正面図
【図１２】従来の媒体幅寄せ機構の要部拡大図
【発明を実施するための形態】
【００１２】
以下、図面を参照して本発明による媒体幅寄せ機構の実施例を説明する。
【実施例１】
【００１３】
図1は下部搬送ローラが通常の状態のときの実施例１を示す図で、図２は下部搬送ローラを押下げた状態のときの実施例１を示す図で、図１及び図２の（ａ）は正面図、（ｂ）は要部右側面図である。
【００１４】
図において１は上部搬送ローラ、２は上部シャフトで、この上部シャフト２に上部搬送ローラ１が所定の間隔で複数個取り付けられている。３は上部フレームで、左右両側部が上方に折り曲げられて起立形成されており、上部シャフト２の両端部はこの上部フレーム３の左右両側部に回転自在に支持されており、図示しない搬送モータからの回転力が上部シャフト２に伝達されることにより上部搬送ローラ1は上部シャフト２と一体に回転するようになっている。また、本実施例では図に向かって上部フレーム３の右側部内面を幅寄せの基準面３ａとしている。
【００１５】
４は下部搬送ローラ、５は下部シャフトで、この下部シャフト５に上部搬送ローラ１と対向するように下部搬送ローラ４が所定の間隔で複数個取り付けられている。６は下部フレームで、左右両側部が上方に折り曲げられて所定の形状に形成されており、下部シャフト５の両端部はこの下部フレーム６の左右両側部に回転自在に支持されている。この下部フレーム６の下部シャフト５の右端部側を回転自在に支持する部分には上下方向に長い長穴（溝）６ａが形成され、この長穴６ａにより下部シャフト５の右端部側は上下動可能となっており、また下部シャフト５の左端部側を回転自在に支持する部分も同様の構造になっていて、更にその支持部付近には下部シャフト５の左端部つまり基準面３ａと反対側の端部を押える押え部６ｂが形成されている。
【００１６】
７は付勢手段としてのコイルスプリングで、例えば下部搬送ローラ４の外側に位置するように下部フレーム６上に設けられた筒状の装着部内に複数装着され、下部シャフト５を上方に付勢している。これにより下部搬送ローラ４は上部フレーム３に設けられている透孔から上側に突出して上部搬送ローラ１に当接し、上部搬送ローラ１が回転すると、同時に下部搬送ローラ４も回転するものとなっている。
【００１７】
尚、本実施例では、下部搬送ローラ４を下部シャフト５に固定することで、下部シャフト５が下部搬送ローラ４と一体に回転する構造とするが、下部搬送ローラ４を下部シャフト５に対して回転自在に取り付けることで、下部搬送ローラ４のみが回転する構造としてもよい。
【００１８】
８はカム、９はこのカム８を取り付けたカム軸で、カム８は下部シャフト５の右端部つまり基準面３ａ側の端部上に当接するように上部フレーム３と下部フレーム６の右側部間に配置され、図示しないカムモータ（駆動原）からの回転力がカム軸９に伝達されることによりカム８はカム軸９と一体に回転するようになっている。
【００１９】
１０は幅寄せ部材で、基準面３ａと反対側の位置で上部フレーム３上に配置され、図示しないソレノイド等の移動手段により左右方向すなわち媒体搬送方向と直交する方向に移動するものとなっている。
【００２０】
１１は通帳や帳票等の媒体で、この媒体１１は図１（ａ）に示したように各上部搬送ローラ１と各下部搬送ローラ４で挟持され、これらの上部搬送ローラ１と下部搬送ローラ４の回転により図に向かって前後方向に搬送される。各上部搬送ローラ１と各下部搬送ローラ４の前後には、同じく媒体１１を挟持して搬送する上部搬送ローラと下部搬送ローラが必要数配置されている。
【００２１】
媒体１１が搬送されるとき、図１（ｂ）に示したようにカム８は下部シャフト５に作用しない状態に停止しており、従って各下部搬送ローラ４は媒体１１を介して各上部搬送ローラ１に当接した状態に保持される。
【００２２】
カム８が矢印で示したように例えば時計回り方向に図示しない駆動により回転すると、カム８により下部シャフト５の基準面３ａ側の端部が押し下げられるが、下部シャフト５の基準面３ａと反対側の端部つまり幅寄せ部材１０側の端部は下部フレーム６に設けられた押え部６ｂにより押えられているため、下部シャフト５は図２（ａ）に示したように傾き、これにより各下部搬送ローラ４も傾いた状態で下方に移動し、各上部搬送ローラ１から離れることで、各上部搬送ローラ１と各下部搬送ローラ４との間に媒体１１の厚さより大きい隙間が作られる。この場合、基準面３ａ側の上部搬送ローラ１と下部搬送ローラ４との隙間Ｇ１は、それと反対の幅寄せ部材１０側の上部搬送ローラ１と下部搬送ローラ４との隙間Ｇ２より大きい（Ｇ１＞Ｇ２）ものとなる。
【００２３】
上述した構成による実施例１の作用について説明する。尚、以下に説明する各部の動作は、図示しない記憶部に格納されたプログラム（ソフトウェア）に基づいて図示しない制御部により制御されるものとする。
【００２４】
図３〜図５は実施例１の作用を示す図で、各図の（ａ）は正面図、（ｂ）は要部右側面図である。
【００２５】
図示しない上部搬送ローラと下部搬送ローラにより搬送されてきた媒体１１は図１（ａ）に示したように各上部搬送ローラ１と各下部搬送ローラ４で挟まれ、幅寄せ実行位置まで搬送される。
【００２６】
媒体１１が幅寄せ実行位置まで搬送されると、図３（ａ）、（ｂ）に示したように、図示しないカムモータからカム軸９に伝達される回転力によりカム８が約１８０度回転し、カム８により下部シャフト５の基準面３ａ側の端部が押し下げられ、これにより各下部搬送ローラ４が上部搬送ローラ１から離れて、各上部搬送ローラ１と各下部搬送ローラ４との間に媒体１１の厚さより大きい隙間が作られる。
【００２７】
このようにして各上部搬送ローラ１と各下部搬送ローラ４との間に媒体１１の厚さより大きい隙間が作られることで、媒体１１は各上部搬送ローラ１と各下部搬送ローラ４から開放された状態になると、図４（ａ）に示したように図示しないソレノイド等の移動手段により幅寄せ部材１０が矢印Ａのように基準面３ａ側に移動して媒体１１の左側辺を押し、媒体１１の右側辺を基準面３ａに押し付けるように幅寄せを行う。
【００２８】
その後、図示しないカムモータからカム軸９に伝達される逆方向の回転力によりカム８が逆方向に約１８０度回転し、それに伴ってコイルスプリング７により下部シャフト５が押し上げられるので、各下部搬送ローラ４が上方に移動し、図５（ａ）、（ｂ）に示したように媒体１１を介して各上部搬送ローラ１に当接する。
【００２９】
これにより媒体１１が各上部搬送ローラ１と各下部搬送ローラ４で再び挟まれ、この状態で媒体１１の右側辺が基準面３ａに押し付けられたか否か、つまり正常に幅寄せされたか否かが図示しない検知センサにより検知され、正常に幅寄せされた場合は、各上部搬送ローラ１と各下部搬送ローラ４の回転及び図示しない各上部搬送ローラと各下部搬送ローラの回転により媒体１１は次の位置まで搬送される。
【００３０】
正常に幅寄せされていない場合は、再度各下部搬送ローラ４を押し下げて幅寄せを行う。
【００３１】
以上説明したように実施例１によれば、上部搬送ローラとの間に媒体を挟持して搬送する下部搬送ローラを取り付けた下部シャフトの基準面側の端部を押下げるカムと、下部シャフトの幅寄せ部材側の端部を押える押え部材と、下部シャフトを上方に付勢する付勢手段を備えた構成として、カムの回転により下部搬送ローラを上部搬送ローラから離間させたり当接させたりするようにしているため、下部搬送ローラの下方に大きなスペースを設ける必要がなくなり小型化を図れるという効果が得られる。
【００３２】
また、カムは上部フレームの側方に配置でき、スペースもとらないことから配置の自由度が高く、そのため設計の自由度も大きくなるという効果も得られ、更に部品点数が増えることもないので、コストを削減できるという効果も得られる。
【実施例２】
【００３３】
図６は下部搬送ローラが通常の状態のときの実施例２を示す図で、（ａ）は正面図、（ｂ）は要部左側面図である。
【００３４】
この実施例２は、下部フレーム６の下部シャフト５の左端部側を回転自在に支持する部分は上下方向に長い長穴６aとして形成して、下部シャフト５の左端部側を上下動可能とし、また下部シャフト５の右端部側（基準面３ａ側）を回転自在に支持する部分の付近には下部シャフト５の右端部つまり基準面３ａ側の端部を押える押え部６ｂを形成すると共に、カム８とカム軸を幅寄せ部材１０側に配置したもので、この他の構成は実施例１と同様であるので、同一の符号を付してその説明を省略する。
【００３５】
上述した構成による実施例２の作用について説明する。この実施例２でも各部の動作は、図示しない記憶部に格納されたプログラム（ソフトウェア）に基づいて図示しない制御部により制御されるものとする。
【００３６】
図７、図８は実施例２の作用を示す図で、各図の（ａ）は正面図、（ｂ）は要部左側面図である。
【００３７】
図示しない上部搬送ローラと下部搬送ローラにより搬送されてきた媒体１１は図６（ａ）に示したように各上部搬送ローラ１と各下部搬送ローラ４で挟まれ、幅寄せ実行位置まで搬送される。
【００３８】
媒体１１が幅寄せ実行位置まで搬送されると、図７（ａ）、（ｂ）に示したように、図示しないカムモータからカム軸９に伝達される回転力によりカム８が約１８０度回転し、カム８により下部シャフト５の幅寄せ部材１０側の端部が押し下げられ、これにより各下部搬送ローラ４が上部搬送ローラ１から離れて、各上部搬送ローラ１と各下部搬送ローラ４との間に媒体１１の厚さより大きい隙間が作られる。
【００３９】
このようにして各上部搬送ローラ１と各下部搬送ローラ４との間に媒体１１の厚さより大きい隙間が作られることで、媒体１１は各上部搬送ローラ１と各下部搬送ローラ４から開放された状態になると、図７（ａ）の矢印Ａに示したように図示しないソレノイド等の移動手段により幅寄せ部材１０が基準面３ａ側に移動して媒体１１の左側辺を押し、媒体１１の右側辺を基準面３ａに押し付けるように幅寄せを行う。
【００４０】
その後、図示しないカムモータからカム軸９に伝達される逆方向の回転力によりカム８が逆方向に約１８０度回転し、それに伴ってコールスプリング７により下部シャフト５が押し上げられるので、各下部搬送ローラ４が上方に移動し、図８（ａ）、（ｂ）に示したように媒体１１を介して各上部搬送ローラ１に当接する。
【００４１】
その際、各下部搬送ローラ４が押え部６ｂを支点として回転しながら上がるため、図８（ａ）に矢印Ｂで示したように媒体１１を基準面３ａ側に押す回転モーメントが発生し、この回転モーメントの力で媒体１１を基準面３ａに押し付ける。
【００４２】
各下部搬送ローラ４が上方に移動の移動により、媒体１１が各上部搬送ローラ１と各下部搬送ローラ４で挟まれると、媒体１１の右側辺が基準面３ａに押し付けられたか否か、つまり正常に幅寄せされたか否かが図示しない検知センサにより検知され、正常に幅寄せされた場合は、各上部搬送ローラ１と各下部搬送ローラ４の回転及び図示しない各上部搬送ローラと各下部搬送ローラの回転により媒体１１は次の位置まで搬送される。
【００４３】
正常に幅寄せされていない場合は、再度各下部搬送ローラ４を押し下げて幅寄せを行う。
【００４４】
以上説明したように、実施例２によれば、実施例１と同様の効果が得られる他、基準面の反対側にカムを配置しているため、媒体を基準面に幅寄せした後、下部搬送ローラ上方に移動する際の回転モーメントにより媒体を基準面に押し付ける力が働き、そのため、媒体をより確実に基準面に幅寄せすることが可能になるという効果が得られる。
【実施例３】
【００４５】
図９は下部搬送ローラが通常の状態のときの実施例３を示す図、図１０は下部搬送ローラが下降した状態のときの実施例３を示す図で、図９及び図１０の（ａ）は正面図、（ｂ）は要部右側面図である。
【００４６】
この実施例３は、各上部搬送ローラ１に対応する下部搬送ローラ４を中央で左右に２分割した下部シャフト５a、５ｂにそれぞれ回転自在に取り付け、この下部シャフト５a、５ｂの分割側の端部５ｃ、５ｄを軸方向に切り欠いて互いに重ねられる形状、例えば半円柱状に形成して、この端部５ｃ、５ｄを、基準面３ａ側の下部シャフト５aの端部５ｃが下、幅寄せ部材１０側の下部シャフト５ｂの端部５ｄが上の関係で重なるように配置する。また、下部シャフト５a、５ｂの基準面３ａ側と幅寄せ部材１０側のそれぞれの端部を下部フレーム６の左右両端部に形成された上下方向に長い長穴６aに上下動可能にかつ回転できない（回転不可）ように挿入保持し、かつ各下部搬送ローラ４の左右の位置で下部シャフト５a、５ｂをそれぞれ付勢手段としてのコイルスプリング７により上方に付勢すると共に、基準面３ａ側の下部シャフト５aの端部付近を突き当てるストッパ６ｃを下部フレーム６上に設け、更に下部シャフト５ｂの分割部側の端部５ｄ付近を押える押え部３ｂを上部フレーム３の下面に設けたものとしている。
【００４７】
尚、下部シャフト５a、５ｂを回転できないようにする構造は、例えば下部シャフト５a、５ｂの長穴６ａに挿入する部分を矩形に形成する等の工夫で可能である。
【００４８】
この他の構成は実施例１と同様であるので、同一の符号を付してその説明を省略する。
【００４９】
上述した構成による実施例３の作用について説明する。この実施例３でも各部の動作は、図示しない記憶部に格納されたプログラム（ソフトウェア）に基づいて図示しない制御部により制御されるものとする。
【００５０】
図示しない上部搬送ローラと下部搬送ローラにより搬送されてきた媒体１１は図９（ａ）に示したように各上部搬送ローラ１と各下部搬送ローラ４で挟まれ、幅寄せ実行位置まで搬送される。
【００５１】
媒体１１が幅寄せ実行位置まで搬送されると、図１０（ａ）、（ｂ）に示したように、図示しないカムモータからカム軸９に伝達される回転力によりカム８が約１８０度回転し、カム８により下部シャフト５aの基準面３ａ側の端部が押し下げられる。押し下げられた下部シャフト５aの基準面３ａ側の端部は下部フレーム６に設けたストッパ６ｃに突き当たり、このストッパ６ｃを支点として下部シャフト５aは分割側の端部５ｃが上方に移動する形で傾く。
【００５２】
これにより幅寄せ部材１０側の下部シャフト５ｂの分割側の端部５ｄが端部５ｃにより押上げられるので、下部シャフト５ｂは上部フレーム３に設けられた押え部３ｂを支点として幅寄せ部材１０側の端部が下方に移動する形で傾き、この２つ下部シャフト５a、５ｂが傾くことで各下部搬送ローラ４が各上部搬送ローラ１から離れて、各上部搬送ローラ１と各下部搬送ローラ４との間に媒体１１の厚さより大きい隙間が作られる。
【００５３】
この場合、図１０に示したように基準面３ａ側の上部搬送ローラ１と下部搬送ローラ４との隙間Ｇ１と、それと反対の幅寄せ部材１０側の上部搬送ローラ１と下部搬送ローラ４との隙間Ｇ２はほぼ等しい（Ｇ１≒Ｇ２）ものとなる。
【００５４】
このようにして各上部搬送ローラ１と各下部搬送ローラ４との間に媒体１１の厚さより大きい隙間が作られることで、媒体１１は各上部搬送ローラ１と各下部搬送ローラ４から開放された状態になると、図４（ａ）に示したように図示しないソレノイド等の移動手段により幅寄せ部材１０が矢印Ａのように基準面３ａ側に移動して媒体１１の左側辺を押し、媒体１１の右側辺を基準面３ａに押し付けるように幅寄せを行う。
【００５５】
その後、図示しないカムモータからカム軸９に伝達される逆方向の回転力によりカム８が逆方向に約１８０度回転し、それに伴って各コイルスプリング７により下部シャフト５a、５ｂが押し上げられるので、各下部搬送ローラ４が上方に移動し、媒体１１を介して各上部搬送ローラ１に当接する。
【００５６】
これにより媒体１１が各上部搬送ローラ１と各下部搬送ローラ４で挟まれると、媒体１１の右側辺が基準面３ａに押し付けられたか否か、つまり正常に幅寄せされたか否かが図示しない検知センサにより検知され、正常に幅寄せされた場合は、各上部搬送ローラ１と各下部搬送ローラ４の回転及び図示しない各上部搬送ローラと各下部搬送ローラの回転により媒体１１は次の位置まで搬送される。
【００５７】
正常に幅寄せされていない場合は、再度各下部搬送ローラ４を押し下げて幅寄せを行う。
【００５８】
以上説明したように、実施例３によれば、実施例１と同様の効果が得られる他、下部搬送ローラを中央で左右に２分割した下部シャフトにそれぞれ回転自在に取り付けるとともに分割側の端部を上下に重ね合わせて、一方の下部シャフトをカムで押下げることにより、他方の下部シャフトも連動して傾いて、各下部搬送ローラが上部搬送ローラから離れるようにしているため、実施例１、２に比べて小さなカム変位で複数のローラの上げ下げが可能になるという効果も得られる。
【符号の説明】
【００５９】
１    上部搬送ローラ
２    上部シャフト
３    上部フレーム
３ａ  基準面
３ｂ  押え部
４    下部搬送ローラ
５    下部シャフト
５ａ、５ｂ  下部シャフト
５ｃ、５ｄ  端部
６    下部フレーム
６ａ  長穴（溝）
６ｂ  押え部
６ｃ  ストッパ
７    コイルスプリング
８    カム
９    カム軸
１０  幅寄せ部材
１１  媒体
【図１】
2012176829.tif 000003
【図２】
2012176829.tif 000004
【図３】
2012176829.tif 000005
【図４】
2012176829.tif 000006
【図５】
2012176829.tif 000007
【図６】
2012176829.tif 000008
【図７】
2012176829.tif 000009
【図８】
2012176829.tif 000010
【図９】
2012176829.tif 000011
【図１０】
2012176829.tif 000012
【図１１】
2012176829.tif 000013
【図１２】
2012176829.tif 000014